(57)【要約】【課題】情報処理システムに量的なパラメータの変化を伴う変更がなされる場合でも情報処理システムの構成のより正確なまたはより効率的な管理を可能とする。【解決手段】管理装置１００は、電力に関するデータセンタの構成の変更について、変更対象の構成要素を特定する変更対象ＩＤと変更対象の構成要素についての変更の内容とを取得する変更内容取得部１０６と、変更内容取得部１０６によって取得された変更対象ＩＤが特定する構成要素と電力をやりとりする構成要素を特定する電力関連ＩＤを仮関連情報保持部１２０から抽出する関連構成抽出部１１０と、変更内容取得部１０６によって取得された変更の内容に基づいて、関連構成抽出部１１０によって抽出された電力関連ＩＤが特定する構成要素において取り扱われる電力の変化量を演算する変化量演算部１１２と、を備える。【選択図】図２
2012155431.tif 000002
【特許請求の範囲】
【請求項１】
情報処理システムの構成要素を特定する構成要素ＩＤとその構成要素と電力をやりとりする構成要素を特定する電力関連ＩＤとを対応付けて保持する関連情報保持部と、
電力に関する情報処理システムの構成の変更について、変更対象の構成要素を特定する変更対象ＩＤと変更対象の構成要素についての変更の内容とを取得する変更内容取得部と、
前記変更内容取得部によって取得された変更対象ＩＤが特定する構成要素と電力をやりとりする構成要素を特定する電力関連ＩＤを前記関連情報保持部から抽出する関連構成抽出部と、
前記変更内容取得部によって取得された変更の内容に基づいて、前記関連構成抽出部によって抽出された電力関連ＩＤが特定する構成要素において取り扱われる電力の変化量を演算する変化量演算部と、を備えることを特徴とする管理装置。
【請求項２】
前記関連構成抽出部によって抽出された電力関連ＩＤが特定する構成要素の情報と前記変化量演算部によって演算された電力の変化量とを対応付けてユーザに通知する通知部をさらに備えることを特徴とする請求項１に記載の管理装置。
【請求項３】
電力に関する情報処理システムの構成の変更の履歴を保持する履歴保持部をさらに備え、
前記通知部は、指定された構成要素が変更対象とされている変更の内容を前記履歴保持部から抽出し、抽出された履歴をユーザに通知することを特徴とする請求項２に記載の管理装置。
【請求項４】
前記変化量演算部は、前記関連構成抽出部によって抽出された電力関連ＩＤが特定する構成要素が他の構成要素に電力を供給する構成要素である場合、その構成要素が供給する電力の変化量を演算し、
前記通知部は、前記変化量演算部における演算の結果、他の構成要素に電力を供給する構成要素が供給すべき電力が所定のしきい値を超えた場合、その構成要素の情報を含む警告情報をユーザに通知することを特徴とする請求項２または３に記載の管理装置。
【請求項５】
情報処理システムの構成要素は物理的な構成要素と電子データとを含み、
前記関連情報保持部は、情報処理システムの構成要素を特定する構成要素ＩＤとその構成要素と関連する電子データを特定するデータ関連ＩＤとを対応付けて保持し、
前記関連構成抽出部は、前記変更内容取得部によって取得された変更対象ＩＤが特定する構成要素と関連する電子データを特定するデータ関連ＩＤを前記関連情報保持部から抽出し、
前記通知部は、前記関連構成抽出部によって抽出されたデータ関連ＩＤが特定する電子データの情報をユーザに通知することを特徴とする請求項２から４のいずれかに記載の管理装置。
【請求項６】
前記変更内容取得部は、変更対象の構成要素が必要とする電力の情報を取得し、
前記関連構成抽出部は、前記変更内容取得部によって取得された変更対象ＩＤが特定する構成要素に電力を供給する構成要素を特定する電力関連ＩＤを前記関連情報保持部から抽出し、
前記変化量演算部は、前記変更内容取得部によって取得された電力の情報に基づいて、前記関連構成抽出部によって抽出された電力関連ＩＤが特定する構成要素が供給する電力の変化量を演算することを特徴とする請求項１から５のいずれかに記載の管理装置。
【請求項７】
情報処理システムの構成要素を特定する構成要素ＩＤとその構成要素と電力をやりとりする構成要素を特定する電力関連ＩＤとを対応付けて関連情報保持部に保持させるステップと、
電力に関する情報処理システムの構成の変更について、変更対象の構成要素を特定する変更対象ＩＤと変更対象の構成要素についての変更の内容とを取得するステップと、
取得された変更対象ＩＤが特定する構成要素と電力をやりとりする構成要素を特定する電力関連ＩＤを前記関連情報保持部から抽出するステップと、
取得された変更の内容に基づいて、抽出された電力関連ＩＤが特定する構成要素において取り扱われる電力の変化量を演算するステップと、を含むことを特徴とする管理方法。
【請求項８】
情報処理システムの構成要素を特定する構成要素ＩＤとその構成要素と電力をやりとりする構成要素を特定する電力関連ＩＤとを対応付けて関連情報保持部に保持させる機能と、
電力に関する情報処理システムの構成の変更について、変更対象の構成要素を特定する変更対象ＩＤと変更対象の構成要素についての変更の内容とを取得する機能と、
取得された変更対象ＩＤが特定する構成要素と電力をやりとりする構成要素を特定する電力関連ＩＤを前記関連情報保持部から抽出する機能と、
取得された変更の内容に基づいて、抽出された電力関連ＩＤが特定する構成要素において取り扱われる電力の変化量を演算する機能と、をコンピュータに実現させることを特徴とするコンピュータプログラム。
【請求項９】
情報処理システムの構成要素を特定する構成要素ＩＤとその構成要素とリソースに関して関連する構成要素を特定するリソース関連ＩＤとを対応付けて保持する関連情報保持部と、
リソースに関する情報処理システムの構成の変更について、変更対象の構成要素を特定する変更対象ＩＤと変更対象の構成要素についての変更の内容とを取得する変更内容取得部と、
前記変更内容取得部によって取得された変更対象ＩＤが特定する構成要素とリソースに関して関連する構成要素を特定するリソース関連ＩＤを前記関連情報保持部から抽出する関連構成抽出部と、
前記変更内容取得部によって取得された変更の内容に基づいて、前記関連構成抽出部によって抽出されたリソース関連ＩＤが特定する構成要素において取り扱われるリソースの変化量を演算する変化量演算部と、を備えることを特徴とする管理装置。
【発明の詳細な説明】
【技術分野】
【０００１】
本発明は、管理装置および管理方法に関し、特に情報処理システムの構成の変更を扱う管理装置および管理方法に関する。
【背景技術】
【０００２】
データセンタなど情報処理システムの構成は、提供するサービスの複雑化や大規模化に伴い年々複雑になってきており、またその構成要素の数も膨大となってきている。また、サーバ、ストレージ、ネットワーク機器等の構成要素について、近年の技術革新に伴ってそれらの性能の向上のスピードが増したこともあり、そのような構成要素の追加や更新なども頻繁に行われている。
【０００３】
このような状況において、情報処理システムをミスなく効率的に運営すべき管理者への負担が増大している。そこで例えば特許文献１には、構成変化の前後において属性が完全には一致しないネットワーク機器について、類似度を用いることでネットワークの構成情報を管理する手法が提案されている。この手法によりネットワーク管理の側面からは幾分管理者の負担が軽減されうる。
【先行技術文献】
【特許文献】
【０００４】
【特許文献１】特開２０１０−０３４９１５号公報
【発明の概要】
【発明が解決しようとする課題】
【０００５】
しかしながら、特許文献１で提案される手法はネットワーク管理に特化した手法であるから、情報処理システムを他の側面から管理する場合には適用が難しい。例えば特許文献１で提案される手法ではネットワークノードのＩＰアドレスやＭＡＣアドレスを使用して類似度が計算される。このＩＰアドレスやＭＡＣアドレスはノードを特定するための識別用のパラメータであって電力やメモリ容量などの量的なパラメータではない。
【０００６】
したがって、情報処理システムに量的なパラメータの変化を伴う変更を加える場合、管理者はシステムの設計図や配線図などを片手に人手でその変更の影響を調査することが考えられる。この場合、時間がかかりすぎ、またミスも発生しやすくなる。
【０００７】
本発明はこうした課題に鑑みてなされたものであり、その目的は、情報処理システムに量的なパラメータの変化を伴う変更がなされる場合でも情報処理システムの構成のより正確なまたはより効率的な管理を可能とする管理技術の提供にある。
【課題を解決するための手段】
【０００８】
本発明のある態様は管理装置に関する。この管理装置は、情報処理システムの構成要素を特定する構成要素ＩＤとその構成要素と電力をやりとりする構成要素を特定する電力関連ＩＤとを対応付けて保持する関連情報保持部と、電力に関する情報処理システムの構成の変更について、変更対象の構成要素を特定する変更対象ＩＤと変更対象の構成要素についての変更の内容とを取得する変更内容取得部と、変更内容取得部によって取得された変更対象ＩＤが特定する構成要素と電力をやりとりする構成要素を特定する電力関連ＩＤを関連情報保持部から抽出する関連構成抽出部と、変更内容取得部によって取得された変更の内容に基づいて、関連構成抽出部によって抽出された電力関連ＩＤが特定する構成要素において取り扱われる電力の変化量を演算する変化量演算部と、を備える。
【０００９】
この態様によると、変更対象ＩＤが特定する構成要素と電力をやりとりする構成要素の情報およびその構成要素において取り扱われる電力の変化量の情報を得ることができる。
【００１０】
本発明のさらに別の態様は、管理装置である。この装置は、情報処理システムの構成要素を特定する構成要素ＩＤとその構成要素とリソースに関して関連する構成要素を特定するリソース関連ＩＤとを対応付けて保持する関連情報保持部と、リソースに関する情報処理システムの構成の変更について、変更対象の構成要素を特定する変更対象ＩＤと変更対象の構成要素についての変更の内容とを取得する変更内容取得部と、変更内容取得部によって取得された変更対象ＩＤが特定する構成要素とリソースに関して関連する構成要素を特定するリソース関連ＩＤを関連情報保持部から抽出する関連構成抽出部と、変更内容取得部によって取得された変更の内容に基づいて、関連構成抽出部によって抽出されたリソース関連ＩＤが特定する構成要素において取り扱われるリソースの変化量を演算する変化量演算部と、を備える。
【００１１】
なお、以上の構成要素の任意の組み合わせや、本発明の構成要素や表現を装置、方法、システム、プログラム、プログラムを格納した記録媒体などの間で相互に置換したものもまた、本発明の態様として有効である。
【発明の効果】
【００１２】
本発明によれば、情報処理システムに量的なパラメータの変化を伴う変更がなされる場合でも情報処理システムの構成のより正確なまたはより効率的な管理が可能となる。
【図面の簡単な説明】
【００１３】
【図１】実施の形態に係る管理装置の管理対象であるデータセンタの構成を示す模式図である。
【図２】実施の形態に係る管理装置の機能および構成を示すブロック図である。
【図３】図２の要素情報保持部の一例を示すデータ構造図である。
【図４】図２の関連情報保持部の一例を示すデータ構造図である。
【図５】図２の履歴保持部の一例を示すデータ構造図である。
【図６】仮関連情報保持部の一例を示すデータ構造図である。
【図７】仮要素情報保持部の一例を示すデータ構造図である。
【図８】仮関連情報保持部の別の一例を示すデータ構造図である。
【図９】変更比較画面の代表画面図である。
【図１０】警告画面の代表画面図である。
【図１１】履歴表示画面の代表画面図である。
【図１２】図２の管理装置における一連の処理を示すフローチャートである。
【発明を実施するための形態】
【００１４】
以下、本発明を好適な実施の形態をもとに図面を参照しながら説明する。各図面に示される同一または同等の要素、部材、処理には、同一の符号を付するものとし、適宜重複した説明は省略する。
【００１５】
図１は、実施の形態に係る管理装置の管理対象であるデータセンタ２の構成を示す模式図である。データセンタ２は、サーバやストレージやネットワーク機器やコンセントや分電盤などの構成要素からなる情報処理システムである。データセンタ２は、第１分電盤４、第２分電盤６、第１コンセント８、第２コンセント１０、第１サーバ１２、第１ストレージ１４、第２サーバ１６、ネットワーク１８、を備える。
【００１６】
第１分電盤４、第２分電盤６はそれぞれ外部の送電線２０と電気的に接続され、送電線２０から電力の供給を受ける。第１コンセント８、第２コンセント１０はそれぞれ第１分電盤４、第２分電盤６と接続され、第１分電盤４、第２分電盤６から電力の供給を受ける。図１ではコンセントはひとつの分電盤から電力の供給を受ける場合が示されるが、コンセントは複数の分電盤から電力の供給を受けてもよい。
【００１７】
第１サーバ１２、第１ストレージ１４、第２サーバ１６それぞれのプラグは第１コンセント８の対応する差し込み口に差し込まれ、第１サーバ１２、第１ストレージ１４、第２サーバ１６はいずれも第１コンセント８から電力の供給を受ける。第１サーバ１２、第１ストレージ１４、第２サーバ１６はイントラネットなどのネットワーク１８に接続される。ネットワーク１８はインターネットなどの外部ネットワーク（不図示）と接続される。
【００１８】
このようにデータセンタ２には、データセンタ２において電力供給の元となる分電盤から、供給された電力が最終的に使用されるサーバやストレージに至るまでの電力供給網が形成されている。以下、データセンタ２において電力供給の元により近い側を電力供給網の上流、そうでない側を下流と定義する。
【００１９】
本実施の形態に係る管理装置は、電力に関するデータセンタ２の構成の変更が企画されるとき、その変更によってデータセンタ２の各構成要素において取り扱われる電力がどのように変化するかをユーザ、この場合は変更の担当者やデータセンタ２の管理者、に提示する。電力に関するデータセンタ２の構成の変更は、電力の供給を必要とする新たな構成要素のデータセンタ２への追加と、消費電力の変化を伴う既存の構成要素の更新と、既存の構成要素と新たな構成要素との置換と、既存の構成要素の削除と、を含む。
【００２０】
例えば、消費電力が２００Ｗの第２ストレージ２２をデータセンタ２に追加し、第２ストレージ２２のプラグを第２コンセント１０に接続するという変更（以下、第２ストレージ２２に係る変更と称す）が企画されている場合、データセンタ２の管理者はその変更の内容を管理装置に入力する。管理装置は、その変更の結果取り扱う電力が変化する構成要素とその変化量とをデータセンタ２における電力の供給関係から導き出し、管理者に提示する。特に管理装置は第２コンセント１０について、第２コンセント１０から第２ストレージ２２に電力を供給するとした場合に第２コンセント１０が別の構成要素にさらに供給できる電力（以下、供給余力と称す）を管理者に提示する。また管理装置は第２分電盤６について、第２ストレージ２２追加の結果第２分電盤６が供給すべき電力にも変化があることおよびその変化量を管理者に提示する。
【００２１】
これにより、管理者は電力に関するデータセンタ２の構成の変更によって電力的に影響を受けうる構成要素およびその影響の度合いを、自ら配線図等をたどるような場合と比べてより速く正確に知ることができる。また、意図しない構成要素に変更の影響が及ぼされていないかを把握できる。
【００２２】
図１に示されるデータセンタ２の構成は本実施の形態を説明するための単純化した例であるが、現在、多くの情報処理システムの構成は上記の通り複雑になってきており、また構成要素の数も膨大となってきている。そのような情報処理システムの電力供給網もまた複雑、大規模化している。したがって、管理者が自ら人手で構成の変更の影響を調べるのでは時間がかかりすぎ、またミスも発生しやすい。そこで本実施の形態に係る管理装置によると、そのような変更の影響をより速く正確に把握できる。
【００２３】
本実施の形態に係る管理装置はネットワーク１８または外部ネットワークに接続された管理サーバとしてデータセンタ２の内部または外部に設けられてもよい。あるいはまた、第１サーバ１２や第２サーバ１６が管理装置の役割を果たしてもよい。
【００２４】
図２は、本実施の形態に係る管理装置１００の機能および構成を示すブロック図である。ここに示す各ブロックは、ハードウエア的には、コンピュータのＣＰＵ（central processing unit）をはじめとする素子や機械装置で実現でき、ソフトウエア的にはプログラム等によって実現されるが、ここでは、それらの連携によって実現される機能ブロックを描いている。したがって、これらの機能ブロックはハードウエア、ソフトウエアの組合せによっていろいろなかたちで実現できることは、本明細書に触れた当業者には理解されるところである。
【００２５】
管理装置１００はキーボード、マウスなどの入力装置１０２と接続され、またディスプレイなどの表示装置１０４と接続される。また管理装置１００はネットワーク１８と接続される。
管理装置１００は、変更内容取得部１０６、情報仮更新部１０８、関連構成抽出部１１０、変化量演算部１１２、通知部１１４、決定受付部１１６、関連情報保持部１１８、仮関連情報保持部１２０、要素情報保持部１２２、仮要素情報保持部１２４、安全性判定部１２６、警告情報生成部１２８、履歴保持部１３０、履歴更新部１３２、を含む。
【００２６】
図３は、要素情報保持部１２２の一例を示すデータ構造図である。要素情報保持部１２２は、管理装置１００の管理対象であるデータセンタ２の構成要素についての情報を保持する。要素情報保持部１２２は、構成要素を特定する構成要素ＩＤと、その構成要素の名と、その構成要素の種類と、その構成要素に対応する変更履歴ＩＤと、その構成要素が電力を供給できる構成要素である場合は供給できる電力の最大値（以下、最大供給電力と称す）と、供給余力と、その構成要素が電力を必要とする構成要素である場合はその構成要素が必要とする必要電力と、その構成要素が電力を消費する場合はその消費電力と、を対応付けて保持する。図３において構成要素名のフィールド内の括弧内の符号は、対応する構成要素の符号である。
【００２７】
変更履歴ＩＤは、過去に行われた電力に関するデータセンタ２の構成の変更を特定するＩＤである。要素情報保持部１２２は、構成要素ＩＤによって特定される構成要素が過去に行われた電力に関するデータセンタ２の構成の変更において変更対象とされた場合は、その構成要素ＩＤと、その変更を特定する変更履歴ＩＤと、を対応付けて保持する。
【００２８】
構成要素の必要電力は、構成要素がサーバやストレージなどの電力を消費する機器の場合はその消費電力を含む。また、コンセントなどの２次電源は、分電盤から電力の供給を受けると共にサーバやストレージや他のコンセントに電力を供給する。したがって、構成要素が２次電源である場合の必要電力は、その構成要素が供給すべき電力、すなわちその構成要素によって電力が供給される構成要素の必要電力の合計である。
【００２９】
構成要素の種類は、分電盤、２次電源、サーバ、ストレージ、ドキュメントを含み、より大きくは分電盤や２次電源やサーバやストレージなどの物理的な構成要素とドキュメントや電子ファイルやコンピュータプログラムなどの電子データとを含む。電子データはデータセンタ２のストレージやサーバに保持されてもよい。物理的な構成要素はさらに電力の取り扱われ方の観点から、分電盤などの電力供給網の最上流に位置する供給要素と２次電源などの電力を仲介する仲介要素とサーバやストレージなどの電力を消費する消費要素とに分けられる。
【００３０】
図４は、関連情報保持部１１８の一例を示すデータ構造図である。関連情報保持部１１８はデータセンタ２における構成要素間の電力の供給関係についての情報を保持する。関連情報保持部１１８は、構成要素ＩＤと、その構成要素ＩＤが特定する構成要素に電力を供給する構成要素を特定する電力供給元ＩＤの群である電力供給元ＩＤ群と、その構成要素ＩＤが特定する構成要素が電力を供給する構成要素を特定する電力供給先ＩＤの群である電力供給先ＩＤ群と、その構成要素ＩＤが特定する構成要素についてのドキュメントを特定するデータ関連ＩＤと、を対応付けて保持する。
【００３１】
電力供給元ＩＤ、電力供給先ＩＤはそれぞれ、対応する構成要素ＩＤが特定する構成要素と電力をやりとりする構成要素を特定する電力関連ＩＤである。
構成要素についてのドキュメントは例えば構成要素がサーバである場合はそのサーバの設計書である。あるいはまた、ドキュメントはデータセンタ２全体の設計書であってもよい。
【００３２】
図５は、履歴保持部１３０の一例を示すデータ構造図である。履歴保持部１３０は、過去に行われた電力に関するデータセンタ２の構成の変更の履歴を保持する。履歴保持部１３０は、変更履歴ＩＤと、その変更履歴ＩＤが特定する過去の変更の内容と、その変更履歴ＩＤが特定する過去の変更が行われた日付と、その変更履歴ＩＤが特定する過去の変更の理由と、を対応付けて保持する。
【００３３】
図２に戻る。
変更内容取得部１０６は、電力に関するデータセンタ２の構成の変更について、変更対象の構成要素を特定する変更対象ＩＤと変更対象の構成要素についての変更の内容とを取得する。変更内容取得部１０６は、変更情報受付部１３４、変更対象抽出部１３６、変更内容抽出部１３８、仮保持部更新部１４２、を含む。
【００３４】
変更情報受付部１３４は、管理者が入力装置１０２を介して入力するまたは管理者がネットワーク１８を介して送信する変更に関する情報を受け付ける。この変更に関する情報は、企画されている電力に関するデータセンタ２の構成の変更に関する情報であり、どの構成要素が変更対象とされるかについての情報および変更対象の構成要素において変更後に扱われる電力の情報を含む。
【００３５】
変更対象抽出部１３６は、変更情報受付部１３４によって受け付けられた変更に関する情報から、どの構成要素が変更対象とされるかについての情報を抽出する。変更対象抽出部１３６は抽出された情報に基づき変更対象ＩＤを取得する。なお、特にデータセンタ２に構成要素を追加する場合、追加する構成要素にはこの段階で構成要素ＩＤが付与され、変更対象抽出部１３６はこの付与された構成要素ＩＤを変更対象ＩＤとして取得する。
【００３６】
変更内容抽出部１３８は、変更情報受付部１３４によって受け付けられた変更に関する情報から、変更対象の構成要素において変更後に扱われる電力の情報を抽出する。データセンタ２にサーバやストレージなどの電力消費を伴う構成要素を追加する場合、変更内容抽出部１３８は追加されるサーバやストレージの消費電力の情報を取得する。
【００３７】
例えば第２ストレージ２２に係る変更が企画されている場合、変更対象抽出部１３６は変更対象ＩＤとして第２ストレージ２２に付与された構成要素ＩＤ「１００８」と第２コンセント１０の構成要素ＩＤ「１００５」とを取得する。変更内容抽出部１３８は、第２ストレージ２２の消費電力の値「２００Ｗ」を取得する。
【００３８】
仮保持部更新部１４２は、変更情報受付部１３４が変更に関する情報を受け付けると、そのとき関連情報保持部１１８、要素情報保持部１２２それぞれに保持されている情報を仮関連情報保持部１２０、仮要素情報保持部１２４に複製する。特に、仮保持部更新部１４２は仮関連情報保持部１２０、仮要素情報保持部１２４に保持される情報がそれぞれ関連情報保持部１１８、要素情報保持部１２２に保持される情報と同一となるように仮関連情報保持部１２０、仮要素情報保持部１２４を更新する。したがって、仮関連情報保持部１２０は図４に示される関連情報保持部１１８と同様のデータ構造を有する。仮要素情報保持部１２４は、図３に示される要素情報保持部１２２と同様のデータ構造を有する。
【００３９】
情報仮更新部１０８は、仮保持部更新部１４２によって複製が行われた仮関連情報保持部１２０、仮要素情報保持部１２４を、変更情報受付部１３４によって受け付けられた変更に関する情報に基づいて更新する。特に情報仮更新部１０８は変更対象ＩＤと変更対象の構成要素において変更後に扱われる電力とを仮関連情報保持部１２０、仮要素情報保持部１２４に反映させる。
【００４０】
例えば第２ストレージ２２に係る変更が企画されている場合、情報仮更新部１０８は第２ストレージ２２に対応する新たなエントリを仮要素情報保持部１２４に設け、そのエントリにおいて第２ストレージ２２に付与された構成要素ＩＤ「１００８」と第２ストレージ２２の名「ストレージ２」と第２ストレージ２２の種類「消費要素」と必要電力「２００（Ｗ）」と消費電力「２００（Ｗ）」とを対応付ける。
【００４１】
また情報仮更新部１０８は、第２ストレージ２２に対応する新たなエントリを仮関連情報保持部１２０に設け、そのエントリの電力供給元ＩＤ群に第２ストレージ２２に電力を供給することとなる第２コンセント１０を特定する構成要素ＩＤ「１００５」を含め、データ関連ＩＤ群にシステム全体の設計書を特定する構成要素ＩＤ「１０１１」を含める。また情報仮更新部１０８は、第２コンセント１０を特定する構成要素ＩＤ「１００５」に対応する電力供給先ＩＤ群に、第２ストレージ２２の構成要素ＩＤ「１００８」を追加する。後述の図６、図７はそれぞれ、この更新が行われた仮関連情報保持部１２０、仮要素情報保持部１２４を示す。
【００４２】
関連構成抽出部１１０は、情報仮更新部１０８によって仮関連情報保持部１２０が更新されると、変更対象抽出部１３６によって取得された変更対象ＩＤに対応する電力供給元ＩＤおよびデータ関連ＩＤを仮関連情報保持部１２０から抽出する。関連構成抽出部１１０は、抽出された電力供給元ＩＤが特定する構成要素に電力を供給する構成要素があればその構成要素の構成要素ＩＤを仮関連情報保持部１２０から抽出する。すなわち、関連構成抽出部１１０は、抽出された電力供給元ＩＤを仮関連情報保持部１２０における構成要素ＩＤとしたときに、それに対応する電力供給元ＩＤがあればそれを抽出する。関連構成抽出部１１０は、抽出された電力供給元ＩＤが特定する構成要素に電力を供給する構成要素がなくなるまで上記の抽出処理を繰り返す。
【００４３】
すなわち、関連構成抽出部１１０は変更対象ＩＤが特定する構成要素よりも電力供給網においてより上流の構成要素を、最上流の構成要素に到達するまで検索し、その検索で見つかった構成要素を特定する構成要素ＩＤを抽出する。
【００４４】
後述する変化量演算部１１２においては、変更対象ＩＤおよび関連構成抽出部１１０によって抽出された電力供給元ＩＤについて電力の変化量の演算が行われるので、変更対象ＩＤおよび関連構成抽出部１１０によって抽出された電力供給元ＩＤを演算対象ＩＤと総称する。
【００４５】
なお、データセンタ２の構成要素の削除の場合は、情報仮更新部１０８によって仮関連情報保持部１２０から削除対象の構成要素に対応するエントリが削除される。この場合、関連構成抽出部１１０は、元の関連情報保持部１１８を参照することによって変更対象ＩＤ（削除対象の構成要素を特定する構成要素ＩＤ）に対応する電力供給元ＩＤおよびデータ関連ＩＤを抽出する。あるいはまた、後述の図８に示されるように、関連構成抽出部１１０は仮関連情報保持部１２０から、電力供給先ＩＤ群に変更対象ＩＤを含む構成要素ＩＤを抽出してもよい。
【００４６】
例えば第２ストレージ２２に係る変更が企画されている場合、関連構成抽出部１１０は図６に示される仮関連情報保持部１２０から、第２ストレージ２２の構成要素ＩＤ「１００８」に対応する電力供給元ＩＤ「１００５」およびデータ関連ＩＤ「１０１１」を抽出する。また関連構成抽出部１１０は図６に示される仮関連情報保持部１２０から、第２コンセント１０の構成要素ＩＤ「１００５」に対応する電力供給元ＩＤ「１００２」およびデータ関連ＩＤ「１０１１」を抽出する。また関連構成抽出部１１０は図６に示される仮関連情報保持部１２０を参照し、第２分電盤６の構成要素ＩＤ「１００２」に対応する電力供給元ＩＤを検索するが、そのようなＩＤはないのでそこでＩＤの抽出を終了する。すなわちこの例では、演算対象ＩＤは「１００８」、「１００５」、「１００２」である。
【００４７】
変化量演算部１１２は、変更内容抽出部１３８によって取得された情報に基づいて、演算対象ＩＤが特定する構成要素において取り扱われる電力の変化量を演算する。この変化量はゼロの場合もあればゼロでない場合もある。ゼロの場合はその構成要素が電力に関するデータセンタ２の構成の変更によって電力的には影響を受けないということであり、ゼロでない場合はその構成要素が電力に関するデータセンタ２の構成の変更によって電力的に影響を受けるということである。
変化量演算部１１２は、演算対象選択部１４４、差分演算部１４６、電力情報仮更新部１４８、を含む。
【００４８】
演算対象選択部１４４は、演算対象ＩＤのなからひとつの演算対象ＩＤを電力供給網の下流側から順番に選択する。以下、演算対象選択部１４４によって選択された演算対象ＩＤが特定する構成要素を、演算対象構成要素と称す。
差分演算部１４６は、演算対象構成要素に対応する電力供給先ＩＤを仮関連情報保持部１２０から抽出する。差分演算部１４６は仮要素情報保持部１２４を参照し、抽出された電力供給先ＩＤが特定する構成要素の必要電力を、抽出された電力供給先ＩＤの全てについて合計する。差分演算部１４６は、この必要電力の合計値に、演算対象構成要素の消費電力を足し合わせて演算対象構成要素についての変更後必要電力を得る。
【００４９】
差分演算部１４６は仮要素情報保持部１２４を参照し、変更後必要電力と、演算対象構成要素の仮要素情報保持部１２４にその時点で登録されている必要電力と、の差分（以下、必要電力変化量と称す）を演算する。また差分演算部１４６は、変更後必要電力と最大供給電力との差分を演算する。
【００５０】
電力情報仮更新部１４８は、変更後必要電力を演算対象構成要素の必要電力として仮要素情報保持部１２４に登録する。また電力情報仮更新部１４８は、差分演算部１４６によって演算された変更後必要電力と最大供給電力との差分を、演算対象構成要素の変更後の供給余力として仮要素情報保持部１２４に登録する。
【００５１】
例えば第２ストレージ２２に係る変更が企画されている場合、演算対象選択部１４４はまず消費要素であり電力供給網の最下流に位置する第２ストレージ２２に対応する演算対象ＩＤ「１００８」を選択する。図６に示される仮関連情報保持部１２０を参照すると演算対象ＩＤ「１００８」に対応する電力供給先ＩＤはないが、図７に示される仮要素情報保持部１２４を参照すると第２ストレージ２２の消費電力は「２００（Ｗ）」である。差分演算部１４６は、第２ストレージ２２について、０（Ｗ）＋２００（Ｗ）＝２００（Ｗ）を変更後必要電力として算出する。この変更後必要電力は第２ストレージ２２に対応して仮要素情報保持部１２４に登録されている必要電力と同じなので、電力情報仮更新部１４８は第２ストレージ２２に対応する必要電力を実質的に更新しないかまたは同じ値を登録する。
【００５２】
次に演算対象選択部１４４は、仲介要素である第２コンセント１０に対応する演算対象ＩＤ「１００５」を選択する。差分演算部１４６は、演算対象ＩＤ「１００５」に対応する電力供給先ＩＤ「１００８」を、図６に示される仮関連情報保持部１２０から抽出する。差分演算部１４６は図７に示される仮要素情報保持部１２４を参照し、抽出された電力供給先ＩＤ「１００８」が特定する第２ストレージ２２の必要電力の値「２００（Ｗ）」を得る。差分演算部１４６は図７に示される仮要素情報保持部１２４を参照し、第２コンセント１０の消費電力の値「０（Ｗ）」を得る。差分演算部１４６は、第２コンセント１０について、２００（Ｗ）＋０（Ｗ）＝２００（Ｗ）を変更後必要電力として算出する。
【００５３】
差分演算部１４６は第２コンセント１０についての必要電力変化量として２００（Ｗ）−０（Ｗ）＝＋２００（Ｗ）を算出する。差分演算部１４６は第２コンセント１０についての変更後の供給余力として５００（Ｗ）−２００（Ｗ）＝３００（Ｗ）を算出する。
電力情報仮更新部１４８は、仮要素情報保持部１２４の第２コンセント１０に対応する必要電力の値を「２００（Ｗ）」に更新する。電力情報仮更新部１４８は、仮要素情報保持部１２４の第２コンセント１０に対応する供給余力の値を「３００（Ｗ）」に更新する。
【００５４】
次に演算対象選択部１４４は、供給要素である第２分電盤６に対応する演算対象ＩＤ「１００２」を選択する。差分演算部１４６は、演算対象ＩＤ「１００２」に対応する電力供給先ＩＤ「１００５」を、図６に示される仮関連情報保持部１２０から抽出する。差分演算部１４６は電力情報仮更新部１４８によって上記の通り更新済みの仮要素情報保持部１２４を参照し、抽出された電力供給先ＩＤ「１００５」が特定する第２コンセント１０の必要電力の値「２００（Ｗ）」を得る。差分演算部１４６は仮要素情報保持部１２４を参照し、第２分電盤６の消費電力の値「０（Ｗ）」を得る。差分演算部１４６は、第２分電盤６について、２００（Ｗ）＋０（Ｗ）＝２００（Ｗ）を変更後必要電力として算出する。
【００５５】
差分演算部１４６は第２分電盤６についての必要電力変化量として２００（Ｗ）−０（Ｗ）＝＋２００（Ｗ）を算出する。差分演算部１４６は第２分電盤６についての変更後の供給余力として１５００（Ｗ）−２００（Ｗ）＝１３００（Ｗ）を算出する。
電力情報仮更新部１４８は、仮要素情報保持部１２４の第２分電盤６に対応する必要電力の値を「２００（Ｗ）」に更新する。電力情報仮更新部１４８は、仮要素情報保持部１２４の第２分電盤６に対応する供給余力の値を「１３００（Ｗ）」に更新する。
【００５６】
変化量演算部１１２において、関連構成抽出部１１０によって抽出された電力供給元ＩＤだけでなく変更対象ＩＤも演算対象に含めている。この場合、第１コンセント８から電力を供給する装置と第２コンセント１０から電力を供給する装置とを入れ替えた場合等に対応できる。例えば第１サーバ１２を第１コンセント８から第２コンセント１０につなぎ替える変更について、変更対象ＩＤは「１００３」、「１００４」、「１００５」である。情報仮更新部１０８によって仮関連情報保持部１２０の第１サーバ１２に対応する電力供給元ＩＤ群が「１００３」から「１００５」に変更される。したがって関連構成抽出部１１０によって抽出される電力供給元ＩＤは「１００１」、「１００２」、「１００５」であり、この中には実際に必要電力が変更になる第１コンセント８を特定する構成要素ＩＤ「１００３」は含まれない。そこで演算対象ＩＤに変更対象ＩＤを含めることにより、このような場合でも第１コンセント８について変化量の演算が行われるようにした。
【００５７】
安全性判定部１２６は、電力情報仮更新部１４８によって更新された仮要素情報保持部１２４を参照し、必要電力が最大供給電力を超える構成要素が存在する場合、その構成要素の構成要素ＩＤおよび構成要素名を警告情報生成部１２８に渡す。
警告情報生成部１２８は、渡された構成要素ＩＤおよび構成要素名を含む警告情報を生成する。
【００５８】
通知部１１４は、演算対象ＩＤが特定する構成要素の情報とその構成要素について変化量演算部１１２によって演算された電力の変化量とを対応付けてユーザに通知する。通知部１１４は、表示制御部１５０、履歴参照部１５６、を含む。
【００５９】
表示制御部１５０は、演算対象ＩＤのうち特に関連構成抽出部１１０によって抽出された電力供給元ＩＤが特定する構成要素の名とその構成要素についての変更後必要電力、必要電力変化量および変更後の供給余力とを表示装置１０４に表示させる。また表示制御部１５０は、変更対象ＩＤが特定する構成要素の情報と、その構成要素について関連構成抽出部１１０によって抽出されたデータ関連ＩＤが特定する電子データの情報と、を対応付けて表示装置１０４に表示させる。
なお、管理装置１００は表示制御部１５０が表示装置１０４に表示させるのと同様の情報を電子メールやウェブページの形でネットワーク１８を介して提供してもよい。
【００６０】
例えば表示制御部１５０は、管理者から入力装置１０２を介して、管理者が変更の影響を確認したいと望む構成要素の指定を受け付ける。表示制御部１５０は、指定された構成要素について変更の前後における電力的な状態を表示する変更比較画面３００（図９で後述）を表示装置１０４に表示させる。表示制御部１５０は、変更前の電力的な状態の情報を取得するために要素情報保持部１２２を参照する。表示制御部１５０は、変更後の電力的な状態の情報を変化量演算部１１２および仮要素情報保持部１２４から取得する。
変更後の電力的な状態の情報は、指定された構成要素についての変更後必要電力、必要電力変化量および変更後の供給余力、ならびに指定された構成要素と電力をやりとりする別の構成要素の名、変更後必要電力、必要電力変化量および変更後の供給余力を含む。
【００６１】
表示制御部１５０はまた、警告情報生成部１２８によって生成された警告情報を図１０で後述する警告画面３３０の形で表示装置１０４に表示させる。
【００６２】
管理者が変更比較画面３００のなかで履歴を確認したい構成要素の名をクリック等により指定すると、あるいはまた管理者が他の手段によって履歴を確認したい構成要素を指定すると、履歴参照部１５６はその指定を受け付ける。履歴参照部１５６は、指定された構成要素が変更対象とされている変更の内容を履歴保持部１３０から抽出し、抽出された履歴を表示装置１０４に表示させる。
【００６３】
履歴参照部１５６は指定された構成要素に対応する変更履歴ＩＤを要素情報保持部１２２から抽出する。履歴参照部１５６は、抽出された変更履歴ＩＤが特定する過去の変更の内容、日付および理由を履歴保持部１３０から抽出する。履歴参照部１５６は、抽出された変更の内容、日付および理由を指定された構成要素に対応付け、図１１で後述する履歴表示画面３４０の形で表示装置１０４に表示させる。
【００６４】
決定受付部１１６は、電力に関するデータセンタ２の構成の変更について保持部に保持される情報を更新するための指令を、入力装置１０２を介して受け付ける。例えば、管理者は、実際に変更が行われた後または変更が承認された後、上記の指令を入力装置１０２を介して決定受付部１１６に入力してもよい。
また決定受付部１１６は、情報を破棄する指令を受け付けた場合、仮関連情報保持部１２０および仮要素情報保持部１２４に保持される情報を破棄する。
【００６５】
決定受付部１１６は更新の指令を受け付けると、仮関連情報保持部１２０、仮要素情報保持部１２４の内容をそれぞれ関連情報保持部１１８、要素情報保持部１２２に反映させる。特に決定受付部１１６は関連情報保持部１１８、要素情報保持部１２２それぞれに保持される情報を仮関連情報保持部１２０、仮要素情報保持部１２４に保持される情報で上書きする。
決定受付部１１６は新たに変更履歴ＩＤを採番し、反映後の要素情報保持部１２２において、変更対象抽出部１３６によって取得された変更対象ＩＤが特定する構成要素にその採番された変更履歴ＩＤを対応付ける。
【００６６】
履歴更新部１３２は、決定受付部１１６によって更新の指令が受け付けられると、変更内容取得部１０６によって取得される情報に基づいて履歴保持部１３０を更新する。履歴保持部１３０は、決定受付部１１６において新たに採番された変更履歴ＩＤと、変更内容取得部１０６によって取得された変更の内容と、決定受付部１１６が更新の指令を受け付けた日付と、管理者によって入力されてもよい変更の理由と、を対応付けて履歴保持部１３０に登録する。
【００６７】
図６は、仮関連情報保持部１２０の一例を示すデータ構造図である。図６において灰色のエントリや要素は、第２ストレージ２２に係る変更が企画されている場合の例において情報仮更新部１０８によって更新された部分である。実線の楕円で囲まれるＩＤは、第２ストレージ２２に係る変更が企画されている場合の例における演算対象ＩＤである。実線の三角形で囲まれるＩＤは変更対象ＩＤである。破線の楕円で囲まれるＩＤは、関連構成抽出部１１０が抽出するデータ関連ＩＤである。
【００６８】
図７は、仮要素情報保持部１２４の一例を示すデータ構造図である。図７において灰色のエントリは、第２ストレージ２２に係る変更が企画されている場合の例において情報仮更新部１０８によって更新された部分である。
【００６９】
図８は、仮関連情報保持部１２０の別の一例を示すデータ構造図である。図８において取消線が施されたエントリは、データセンタ２の構成要素の削除が企画される場合に、情報仮更新部１０８によって削除されるエントリである。電力供給先ＩＤ群に含まれる斜体で示されるＩＤは、削除対象の構成要素の構成要素ＩＤであり、関連構成抽出部１１０はこのＩＤに対応する構成要素ＩＤ「１００３」を演算対象ＩＤとして抽出できることを示す。
【００７０】
図９は、変更比較画面３００の代表画面図である。変更比較画面３００は、管理者によって指定された構成要素の名を表示する対象構成要素名表示領域３０６と、変更前の電力的な状態の情報を表示する変更前情報表示領域３０２と、変更後の電力的な状態の情報を表示する変更後情報表示領域３０４と、を有する。
【００７１】
変更前情報表示領域３０２は、最新の構成変更日および変更者の情報を表示する変更前基本情報表示領域３０８と、指定された構成要素自身の変更前の電力的な情報、例えば種類や必要電力や供給余力を表示する変更前自己情報表示領域３１０と、指定された構成要素と変更前に電力の受給関係にある構成要素の情報を表示する変更前電力関連情報表示領域３１２と、を有する。
【００７２】
変更前電力関連情報表示領域３１２は変更前の状態について、指定された構成要素に電力を供給する構成要素の情報、例えば構成要素名や必要電力や供給余力を表示する変更前電力供給元情報表示領域３１４と、指定された構成要素が電力を供給する構成要素の情報、例えば構成要素名や必要電力や供給余力を表示する変更前電力供給先情報表示領域３１６と、を有する。
【００７３】
変更後情報表示領域３０４は、構成の変更が予定される日および変更者の情報を表示する変更後基本情報表示領域３１８と、指定された構成要素自身の変更後の電力的な情報、例えば種類や変更後必要電力や必要電力変化量や変更後の供給余力を表示する変更後自己情報表示領域３２０と、指定された構成要素と変更後に電力の受給関係にある構成要素の情報を表示する変更後電力関連情報表示領域３２２と、指定された構成要素に関連する電子データの情報を表示するデータ関連情報表示領域３２８と、を有する。
【００７４】
変更後電力関連情報表示領域３２２は変更後の状態について、指定された構成要素に電力を供給する構成要素の情報、例えば構成要素名や変更後必要電力や必要電力変化量や変更後の供給余力を表示する変更後電力供給元情報表示領域３２４と、指定された構成要素が電力を供給する構成要素の情報、例えば構成要素名や変更後必要電力や必要電力変化量や変更後の供給余力を表示する変更後電力供給先情報表示領域３２６と、を有する。
表示制御部１５０は、指定された構成要素について関連構成抽出部１１０によってデータ関連ＩＤが抽出されていれば、そのデータ関連ＩＤが特定する電子データの名を仮要素情報保持部１２４から抽出してデータ関連情報表示領域３２８に表示させる。
【００７５】
図１０は、警告画面３３０の代表画面図である。警告画面３３０は、警告対象となる構成要素の構成要素ＩＤおよび名３３２を表示し、その構成要素について必要電力が最大供給電力を超える旨を表示する。
【００７６】
図１１は、履歴表示画面３４０の代表画面図である。履歴表示画面３４０は、履歴表示対象として指定された構成要素について、その構成要素の名を表示する履歴対象名表示領域３４１と、過去の変更の日付を表示する日付表示領域３４２と、過去の変更の内容を表示する内容表示領域３４４と、過去の変更の理由を表示する理由表示領域３４５と、を有する。
【００７７】
上述の実施の形態において、保持部の例は、ハードディスクやメモリである。また、本明細書の記載に基づき、各部を、図示しないＣＰＵや、インストールされたアプリケーションプログラムのモジュールや、システムプログラムのモジュールや、ハードディスクから読み出したデータの内容を一時的に記憶するメモリなどにより実現できることは本明細書に触れた当業者には理解されるところである。
【００７８】
以上の構成による管理装置１００の動作を説明する。
図１２は、管理装置１００における一連の処理を示すフローチャートである。変更内容取得部１０６は、変更対象ＩＤおよび変更の内容を取得する（Ｓ２０２）。情報仮更新部１０８は、変更対象ＩＤおよび変更の内容を仮関連情報保持部１２０、仮要素情報保持部１２４に登録する（Ｓ２０４）。関連構成抽出部１１０は、変更対象ＩＤに対応する電力供給元ＩＤを抽出する（Ｓ２０６）。変化量演算部１１２は、演算対象ＩＤの全てについて必要電力の変化量の演算が行われていない場合（Ｓ２０８のＮ）、そのような演算がまだ行われていない演算対象ＩＤをひとつ選択する（Ｓ２１０）。変化量演算部１１２は、選択された演算対象ＩＤが特定する構成要素について、変更後必要電力、必要電力変化量および供給余力を演算し（Ｓ２１２）、ステップＳ２０８に処理を戻す。演算対象ＩＤの全てについて必要電力の変化量の演算が行われた場合（Ｓ２０８のＹ）、通知部１１４は演算結果を表示装置１０４に表示させる（Ｓ２１４）。
【００７９】
本実施の形態に係る管理装置１００によると、電力に関するデータセンタ２の構成の変更について、管理者によって変更対象として指定された構成要素だけでなくその構成要素と電力をやりとりする構成要素についても、その構成要素で取り扱われる電力の変化量が演算され、その結果が管理者に通知される。したがって、管理者が変更の内容を管理装置１００に入力する段階では気付いていないかもしれない変更の影響を管理者に通知することができる。特に管理者は、変更対象として指定していないが変更の影響が及びうる構成要素の情報およびその構成要素で取り扱われる電力の変化量を知ることができる。これにより、管理者はより正確に変更の影響を把握でき、特に変更の影響が意図しない構成要素にまで及ぶ場合はそれを事前に察知できる。
【００８０】
第２ストレージ２２に係る変更が企画されている例では、管理者は図９に示される変更比較画面３００を参照することにより、変更対象として指定した第２コンセント１０、第２ストレージ２２だけでなく、第２分電盤６にも変更の影響が及ぶこと、および第２分電盤６の必要電力が０（Ｗ）から２００（Ｗ）になり、供給余力が１３００（Ｗ）になること、を把握できる。
【００８１】
また、本実施の形態に係る管理装置１００によると、管理者によって指定された構成要素が変更対象とされている変更の内容を履歴保持部１３０から抽出して管理者に通知する。したがって、管理者は過去の変更を参照し、変更の経緯を理解したうえで新たな変更を企画することができる。
【００８２】
変更の経緯の把握について、例えば以下のような状況を考える。
甲氏は半年前に乙社会計システムの担当に着任した。乙社会計システムは３年に一度データベース（サーバ名：kaikei_db）のバージョンアップを行う方針であり、この度甲氏が初めてバージョンアップを行うこととなった。
【００８３】
ここで本実施の形態に係る管理装置１００の特に履歴参照機能を使用しない場合、甲氏はバージョンアップ作業に成功しない可能性がある。その理由としては例えば、サーバ名に”_”を含むデータベースはバージョンアップすることができないことなどがある。甲氏はこのような理由を技術調査などで明らかにしなければならない。
【００８４】
過去のバージョンアップ作業では成功していることから、甲氏が前任者へのヒアリングを行えば、作業前にサーバ名を”kaikeidb”に変更後、正常にバージョンアップを完了したことや、その後、別作業の際にもとのサーバ名”kaikei_db”に変更したことや、そのために現在の状態では正常にバージョンアップが行えないこと、などが判明するかもしれない。しかしながら以上の手順では、バージョンアップに失敗、ヒアリング、再度バージョンアップという手続を踏まなければならないので非効率的である。
【００８５】
これに対して本実施の形態に係る管理装置１００の履歴参照機能を使用すると、甲氏は過去の経緯を把握した上でバージョンアップに臨むことができるので、技術調査やヒアリング等は不要となり、よりスムーズにバージョンアップ作業を行うことができる。
【００８６】
また、本実施の形態に係る管理装置１００では、電力に関するデータセンタ２の構成の変更の結果、必要電力が最大供給電力を超える構成要素が生じる場合、その構成要素の情報を管理者に通知する。したがって、管理者はその通知を受けて必要電力が最大供給電力を超えないように変更の内容を修正できる。
【００８７】
例えば図１に示されるデータセンタ２について、第２ストレージ２２に第１コンセント８から電力を供給することとすると、第１コンセント８の必要電力は「７００（Ｗ）」となり最大供給電力「６００（Ｗ）」を超える。管理装置１００はこの場合、管理者に第１コンセント８の必要電力が最大供給電力を超える旨を通知する。したがって、コンセントに定格を超える負荷が接続されることを未然に防ぐことができる。
【００８８】
また、本実施の形態に係る管理装置１００は、変更対象として指定された構成要素と関連する電子データの情報を管理者に通知する。したがって、例えばサーバやストレージを追加した結果システム全体の設計書を更新しなければならない場合に、そのことが管理者に自動的に通知される。その結果、設計書更新忘れ等のミスの発生を抑えることができる。
【００８９】
以上、実施の形態に係る管理装置１００の構成と動作について説明した。この実施の形態は例示であり、その各構成要素や各処理の組み合わせにいろいろな変形例が可能なこと、またそうした変形例も本発明の範囲にあることは当業者に理解されるところである。
【００９０】
実施の形態では、電力に関する情報処理システムの構成の変更が扱われる場合について説明したが、これに限られず、情報処理システムの量的なパラメータすなわちリソースに関する情報処理システムの構成の変更が扱われてもよい。情報処理システムのリソースは例えば電力、ＣＰＵ使用率、一時メモリの記憶容量またはハードディスクドライブの記憶容量である。
【００９１】
実施の形態では、管理装置１００は、ある構成要素に電力を供給する構成要素はひとつだけであり、ある構成要素が電力を供給する構成要素は複数存在しうる木構造の電力供給網を有するデータセンタ２を扱う場合について説明したが、これに限られず、例えばネットワーク状の電力供給網を有する情報処理システムを扱ってもよい。
【００９２】
実施の形態では、関連情報保持部１１８、仮関連情報保持部１２０は電力供給元ＩＤ群と電力供給先ＩＤ群とを含む場合について説明したが、これに限られず、いずれか一方のみを含んでもよい。
【符号の説明】
【００９３】
２  データセンタ、  １００  管理装置、  １０２  入力装置、  １０４  表示装置、  １０６  変更内容取得部、  １０８  情報仮更新部、  １１０  関連構成抽出部、  １１２  変化量演算部、  １１４  通知部、  １１６  決定受付部、  １１８  関連情報保持部、  １２０  仮関連情報保持部、  １２２  要素情報保持部、  １２４  仮要素情報保持部、  １２６  安全性判定部、  １２８  警告情報生成部、  １３０  履歴保持部、  １３２  履歴更新部。
【図１】
2012155431.tif 000003
【図２】
2012155431.tif 000004
【図３】
2012155431.tif 000005
【図４】
2012155431.tif 000006
【図５】
2012155431.tif 000007
【図６】
2012155431.tif 000008
【図７】
2012155431.tif 000009
【図８】
2012155431.tif 000010
【図９】
2012155431.tif 000011
【図１０】
2012155431.tif 000012
【図１１】
2012155431.tif 000013
【図１２】
2012155431.tif 000014